(57)【要約】【課題】高度の低い太陽光が庇部以外の表面に到達した場合においても、反射光量を大幅に低減することができ、高いコントラストが得られる映像表示装置を得る。【解決手段】複数の発光素子が配列された基板と、発光素子間に発光素子列に沿って延在配置されたルーバーと、発光素子周辺の発光素子間に配置された複数の棒状ルーバーとを備えた映像表示装置により構成される。【選択図】図４
2015102704.tif 000002
【特許請求の範囲】
【請求項１】
複数の発光素子が配列された基板と、
前記発光素子間に前記発光素子列に沿って延在配置されたルーバーと、
前記発光素子周辺の前記発光素子間に配置された複数の棒状ルーバーとを備えたことを特徴とする映像表示装置。
【請求項２】
前記棒状ルーバーは、前記ルーバーよりも低く形成されていることを特徴とする請求項１記載の映像表示装置。
【請求項３】
前記棒状ルーバーは、前記発光素子に近い側に配置されるほど低く形成されていることを特徴とする請求項１又は請求項２記載の映像表示装置。
【請求項４】
前記棒状ルーバーの先端部分には溝部が設けられていることを特徴とする請求項１〜請求項３のいずれか１項に記載の映像表示装置。
【請求項５】
前記棒状ルーバーは、前記ルーバーと併行に配置された前記発光素子間に形成されていることを特徴とする請求項１〜請求項４のいずれか１項に記載の映像表示装置。
【請求項６】
複数の発光素子が配列された基板と、
前記発光素子間に前記発光素子列に沿って延在配置されたルーバーと、
前記発光素子周辺の前記発光素子間に配置された複数の板状のサブルーバーとを備え、
前記板状のサブルーバーは、前記ルーバーと併行に配置された前記発光素子間に形成されていることを特徴とする映像表示装置。
【請求項７】
前記板状のサブルーバーは、断面視においてコーナー部が削られた多角形状を有しており、前記発光素子に近い側の高さは低く、遠い側は高いことを特徴とする請求項６記載の映像表示装置。
【請求項８】
複数の発光素子が配列された基板と、
前記発光素子間に前記発光素子列に沿って延在配置されたルーバーと、
前記発光素子周辺の前記発光素子間に配置された複数の板状のサブルーバーとを備え、
前記板状のサブルーバーは、前記発光素子と前記ルーバーとの間に形成されていることを特徴とする映像表示装置。
【請求項９】
前記板状のサブルーバーは、断面視においてコーナー部が削られた多角形状を有しており、前記発光素子に近い側の高さは低く、遠い側は高いことを特徴とする請求項８記載の映像表示装置。
【発明の詳細な説明】
【技術分野】
【０００１】
この発明は、映像表示装置に関し、特に、複数の発光素子を発光させて表示を行う屋外型の映像表示装置に関するものである。
【背景技術】
【０００２】
大型映像表示装置は、一般的に、発光素子により構成される表示ユニットを平面上に多数配列することにより構成されている。発光素子として発光ダイオード（ＬＥＤ）が使用されるようになり、３原色の発光素子の配置や配列ピッチを任意に設計できることから、用途に応じて様々な解像度や輝度を持つ大型映像表示装置が構成できるようになった。
しかし、大型映像表示装置は屋外に設置されることが多く、映像表示装置の表面で太陽光が反射することにより映像表示装置以外の光が表示観測者に届き、コントラストの低下を招いたり、映像を見難くするという問題点があった。
【０００３】
そこで、従来の映像表示装置では、発光素子の先端部を露出させるために設けられた貫通孔を備え、この貫通孔に収容された発光素子に太陽光線が当たらないようにするために、発光素子の上側横方向に発光素子の先端の高さよりも高い庇を設けたルーバーを取り付けることで対応している。
【０００４】
また、映像品質の向上には、黒表示の輝度を低くして、コントラストを高くすることが挙げられることから、コントラストをさらに向上させるため、庇先端を更に長くすることにより太陽光の遮断量をより多くさせる方法や、庇先端以外のルーバー表面を下向きにすることで、太陽光を下側に反射させる方法もある。ただし、庇先端を長くする方法は、映像表示装置の垂直方向の視認角度を狭くするという弊害があり、また、低い高度から太陽光が照射される場合には、庇先端により太陽光を遮断することが難しく、コントラストの低下を防ぐことが困難である。
【先行技術文献】
【特許文献】
【０００５】
【特許文献１】特開２００９−１４６９３６号公報
【特許文献２】特開２００１−５６６４７号公報
【発明の概要】
【発明が解決しようとする課題】
【０００６】
ルーバーの庇に遮光されず、ルーバー表面に太陽光が直接到達した場合は反射光が少なからず発生する。そこで、特許文献１の表示装置では、発光素子が存在しないルーバー平坦部のスペース領域に表示面より見て2種類の凹凸を形成することにより、外光の反射光を正面付近から見る事の多い表示観測者の目線から離れた角度に反射させている。
また、特許文献２の発光表示装置では、無数の溝を設ける事により表示観測者の目線から離れた角度に反射させている。しかしながら、太陽高度が低い時には、外光の反射光が浅い角度で表示観測者の目線に入る可能性がある。
【０００７】
この発明は、上記の課題を解決するためになされたものであり、高度の低い太陽光が庇部以外の表面に到達した場合においても、反射光量を大幅に低減することができ、高いコントラストが得られる映像表示装置を得るものである。
【課題を解決するための手段】
【０００８】
この発明に係わる映像表示装置は、複数の発光素子が配列された基板と、前記発光素子
間に前記発光素子列に沿って延在配置されたルーバーと、前記発光素子周辺の前記発光素子間に配置された複数の棒状ルーバーとを備えたものである。
【０００９】
また、複数の発光素子が配列された基板と、前記発光素子間に前記発光素子列に沿って延在配置されたルーバーと、前記発光素子周辺の前記発光素子間に配置された複数の板状のサブルーバーとを備え、前記板状のサブルーバーは、前記ルーバーと併行に配置された前記発光素子間に形成されているものである。
【００１０】
さらにまた、複数の発光素子が配列された基板と、前記発光素子間に前記発光素子列に沿って延在配置されたルーバーと、前記発光素子周辺の前記発光素子間に配置された複数の板状のサブルーバーとを備え、前記板状のサブルーバーは、前記発光素子と前記ルーバーとの間に形成されているものである。
【発明の効果】
【００１１】
この発明の映像表示装置によれば、発光素子周辺の発光素子間に棒状ルーバーを設けることにより、高度の低い太陽光がルーバー庇部以外の表面に到達した場合においても、反射光量を大幅に低減することができるので、映像表示装置のコントラストを向上させることができる。
【図面の簡単な説明】
【００１２】
【図１】この発明の実施の形態１〜４における映像表示装置の概略平面図である。
【図２】図１における映像表示装置のＡ−Ａ線の概略断面図である。（表面実装型の発光素子を用いた場合）
【図３】図１における映像表示装置のＡ−Ａ線の概略断面図である。（ＤＩＰ型の発光素子を用いた場合）
【図４】この発明の実施の形態１における映像表示装置の要部を示す平面図である。
【図５】図４における平面図をＡ方向から見た時の側面図である。
【図６】図４における平面図のＢ−Ｂ線断面部分をＢ方向から見た時の側面図である。
【図７】比較例としての映像表示装置の動作を説明する要部側面図である。
【図８】比較例としての映像表示装置の動作を説明する要部側面図である。
【図９】この発明の実施の形態２における映像表示装置の要部を示す平面図である。
【図１０】図９における平面図をＡ方向から見た時の側面図である。
【図１１】図９における平面図のＣ−Ｃ線断面部分をＢ方向から見た時の側面図である。
【図１２】この発明の実施の形態３における映像表示装置の要部を示す側面図である。
【図１３】この発明の実施の形態４における映像表示装置の要部を示す平面図である。
【図１４】図１３における平面図をＡ方向から見た時の側面図である。
【図１５】図１３における平面図のＤ−Ｄ線断面部分をＢ方向から見た時の側面図である。
【図１６】この発明の実施の形態５における映像表示装置の要部を示す平面図である。
【図１７】図１６における平面図をＡ方向から見た時の側面図である。
【図１８】図１６における平面図のＥ−Ｅ線断面部分をＢ方向から見た時の側面図である。
【発明を実施するための形態】
【００１３】
実施の形態１．
図１は実施の形態１〜４における映像表示装置の概略平面図である。また、図２及び図３は、図１の映像表示装置のＡ−Ａ線の概略断面図である。図２は、レンズ特性を持たない表面実装型の発光素子を用いた場合の概略断面図であり、図３は、ＬＥＤなどのＤＩＰ型の発光素子を用いた場合の概略断面図である。
【００１４】
図１及び図２に示すように、映像表示装置は、複数の発光素子１０４又は１０５が格子状に配列された基板１０７と、発光素子の部位を除いて基板１０７の表面を被覆する防水用シリコーン樹脂１０８と、基板１０７の前面に配置され、発光素子１０４又は１０５の先端部を露出させる発光素子孔１０３と、発光素子１０４又は１０５間に発光素子列に沿って所定の方向に延びるルーバー庇部１０１を持つルーバー平坦部１０２と、基板１０７を収容する樹脂ケース１０６と、基板１０７背面から外部に取り出される配線（図示せず）により構成されている。
【００１５】
また、図１において、発光素子１０４又は１０５間は、棒状ルーバーあるいはサブルーバー形成領域１１０を有している。図３は、ＬＥＤなどのＤＩＰ型の発光素子を用いた場合の概略断面図である。図３において、図２と同じ符号については、同一であるので説明を省略する。発光素子１０５は例えばＬＥＤなどであり、金属端子１０９により基板１０７に接続されている。また、発光素子１０５は発光素子孔１０３から先端部を突出させている。
【００１６】
図４は、この発明の実施の形態１である映像表示装置の要部を示す平面図である。図４に示すように、発光素子１０５間の発光素子１０５が存在しないルーバー平坦部１０２のスペース領域に表示面より見て垂直に複数の円筒状の棒状ルーバー１１１が設けられている。
平面視においては、棒状ルーバー１１１はドット形状を有している。棒状ルーバー１１１は、例えば、ポリカーボネート等の耐候性のある熱可塑性樹脂で形成されており、ルーバー庇部１０１及びルーバー平坦部１０２と同じ材料で形成されている。また、棒状ルーバー１１１は、ルーバー庇部１０１よりも低く形成されている。また、ルーバー庇部１０１は、発光素子１０５よりも高く形成されている。
【００１７】
図５は、図４の平面図をＡ方向から見た時の側面図である。発光素子１０５間に棒状ルーバー１１１を複数設けたことにより、棒状ルーバー１１１の下部は影となり、太陽光１１２の照射光はルーバー平坦部１０２に反射した光とは別の軌道となり、表示観測者の目１１５に入る反射光量は軽減され、暗輝度を低減することができる。ここで設ける棒状ルーバー１１１は、棒状ルーバー１１１の天面に太陽光が照射されたときに反射する事が懸念されるため、断面積が小さく数量を多く作製する事が好ましい。
【００１８】
図６は、図４のＢ−Ｂ線断面部分をＢ方向から見た時の側面図である。図６において、例えば発光素子１０５がＬＥＤ素子の場合、ＬＥＤ素子の光の放出を遮らないように棒状ルーバー１１１は設けられている。発光素子の視認角度１１３を阻害しない形状の棒状ルーバー１１１を設ける事で、あらゆる角度の太陽光に対しても改善された映像表示装置を得ることができる。発光素子１０５の視認角度１１３は、発光素子の集光性にも因るが、左右方向は左右８０度くらいあるものが主流である。
【００１９】
図７及び図８は、比較例としての従来の映像表示装置の動作を説明する要部側面図である。太陽光１１２が映像表示装置の前面に配置されているルーバー平坦部１０２で反射されると、表示観測者の目１１５に太陽光の反射光１１６が入り、発光素子１０５で表示される画像情報を視認し難くさせる。この反射光１１６が映像表示装置のコントラストを低下させる大きな要因である。このため、この反射光１１６ができるだけ表示観測者の目１１５に入らないように、ルーバー庇部１０１が設けられている。
【００２０】
図８に示すように、太陽光１１２の入射光がルーバー庇部１０１の高さとピッチで決まる入射角α以上で入った場合には、太陽光１１２の入射光がルーバー庇部１０１によって遮られ、ルーバー庇部１０１から反射した反射光１１６は表示観測者の目１１５には入らず、コントラストの低下は生じないが、太陽光１１２の入射光が入射角α以下で入った場合には、ルーバー平坦部１０２の表面で反射された反射光１１６が表示観測者の目１１５に入る。従って、表示観測者の位置と太陽高度にもよるが、一般的に太陽高度が高い場合にはルーバー庇部１０１が有効であるが、太陽高度が低い場合には充分な効果が期待できない。ルーバー庇部１０１を高くすれば発光素子（表示せず）から発せられる光も遮られ、垂直方向の視野角が狭くなるので、ルーバー庇部１０１の高さをあまり高くすることはできない。
【００２１】
実施の形態１のように、発光素子１０５間に棒状ルーバー１１１を複数設けたことにより、棒状ルーバー１１１の下部は影となり、太陽光１１２の照射光はルーバー平坦部１０２に反射した光とは別の軌道となり、表示観測者の目に入る反射光量は軽減し、暗輝度を低減することができる。
また、複数の棒状ルーバー１１１の高さは、発光素子１０５からの光の放出を遮らない高さであるので、改善された画像情報を得ることができる。
【００２２】
実施の形態２．
図９はこの発明の実施の形態２である映像表示装置の要部を示す平面図、図１０は図９の平面図をＡ方向から見た時の側面図、図１１は図９のＣ−Ｃ線の断面部分をＢ方向から見た側面図である。図９から図１１において、実施の形態１と同じ符号については、実施の形態１と同一であるので説明を省略する。
【００２３】
実施の形態２では図１１に示すように、棒状ルーバー１１１の高さは全て同一ではなく、発光素子１０５に近い棒状ルーバー１１１は低く、発光素子から遠い棒状ルーバー１１１は高くなっている。これにより発光素子１０５から照射する光を遮らないように、発光素子１０５の指向特性を考慮して棒状ルーバーの高さの構成を設定することができ、発光素子１０５の指向特性と高コントラストを両立化することが可能となる。
【００２４】
実施の形態３．
図１２はこの発明の実施の形態３である映像表示装置の要部側面図である。
実施の形態３では、図１２に示すようにルーバー庇部１０１間に設けられた棒状ルーバー１１１の先端部に溝部１１７を設けたものである。溝部１１７を設けることにより、棒状ルーバー天面の反射防止と、更なるコントラストの向上を実現できる。
【００２５】
実施の形態４．
図１３はこの発明の実施の形態４における映像表示装置の要部を示す平面図、図１４は図１３の平面図をＡ方向から見た時の側面図、図１５は図１３のＤ−Ｄ線の断面部分をＢ方向から見た時の側面図である。図１３から図１５において、実施の形態１と同じ符号については、実施の形態１と同一であるので説明を省略する。
【００２６】
実施の形態４では図１３に示すとおり、発光素子１０５間に平面視で板状の第１のサブルーバー１１８を有している。また、図１５に示すように、第１のサブルーバー１１８の断面形状は矩形ではなく、矩形のコーナー部が削られた多角形状を有している。よって、第１のサブルーバー１１８の高さは同一ではなく、発光素子１０５に近い角の部分は低くなっている。これにより発光素子１０５から照射する光を遮らないように、発光素子の指向特性を考慮して第１のサブルーバー１１８の高さの構成を設定することができる。よって、発光素子１０５の指向特性と高コントラストを両立化することができる。
【００２７】
実施の形態５．
図１６はこの発明の実施の形態５における映像表示装置の要部を示す平面図である。また、図１７は図１６の平面図をＡ方向から見た時の側面図、図１８は図１６のＥ−Ｅ線の断面部分をＢ方向から見た時の側面図である。図１６から図１８において、実施の形態１と同じ符号については、実施の形態１と同一であるので説明を省略する。
【００２８】
実施の形態５では、図１６に示すように第２のサブルーバー１１９は、発光素子１０５とルーバー庇部１０１との間に設けられている。また、図１７に示すとおり、第２のサブルーバー１１９の高さは全て同一ではなく、発光素子１０５に近い第２のサブルーバー１１９は低く、発光素子１０５から遠くルーバー庇部１０１に近い程第２のサブルーバー１１９は高く設定されている。これにより発光素子１０５から照射する光を遮らないように、発光素子１０５の指向特性を考慮して第２のサブルーバー１１９の高さの構成を設定することができ、発光素子１０５の指向特性と高コントラストを両立化することが可能となる。
【００２９】
また、図１８に示す側面図のように、設定された発光素子の視認角度１１３の範囲内で発光素子１０５の発光部から発せられる光が蹴られないように、つまり発光素子１０５の光の放出を遮らないように第２のサブルーバー１１９の高さを設定し、最適な位置に配置する。実施の形態５における第２のサブルーバーの断面形状は矩形であるが、実施の形態４のようにコーナー部が削られた多角形状であってもよい。
【００３０】
なお、この発明は、その発明の範囲内において、各実施の形態を自由に組み合わせたり、各実施の形態を適宜、変形、省略することが可能である。
【符号の説明】
【００３１】
１０１  ルーバー庇部、１０２  ルーバー平坦部、１０３  発光素子孔、
１０４  発光素子（表面実装型）、１０５  発光素子（ＤＩＰ型）、
１０６  樹脂ケース、１０７  基板、１０８  防水用シリコーン樹脂、
１０９  金属端子、１１０  棒状ルーバー又はサブルーバー形成領域、
１１１  棒状ルーバー、１１２  太陽光、１１３  発光素子の視認角度、
１１４  太陽光が照射する領域、１１５  表示観測者の目、１１６  太陽光の反射光、
１１７  溝部、１１８  第１のサブルーバー、１１９  第２のサブルーバー
【図１】
2015102704.tif 000003
【図２】
2015102704.tif 000004
【図３】
2015102704.tif 000005
【図４】
2015102704.tif 000006
【図５】
2015102704.tif 000007
【図６】
2015102704.tif 000008
【図７】
2015102704.tif 000009
【図８】
2015102704.tif 000010
【図９】
2015102704.tif 000011
【図１０】
2015102704.tif 000012
【図１１】
2015102704.tif 000013
【図１２】
2015102704.tif 000014
【図１３】
2015102704.tif 000015
【図１４】
2015102704.tif 000016
【図１５】
2015102704.tif 000017
【図１６】
2015102704.tif 000018
【図１７】
2015102704.tif 000019
【図１８】
2015102704.tif 000020